(57)【特許請求の範囲】
【請求項１】
ネットワーク上にコンテンツをアップロードするために必要なＩＤ及びパスワードの情報を含むコード画像が印刷された印刷媒体を含む画像を撮像することで、前記コンテンツのデータとして画像コンテンツデータを作成する作成手段と、
前記作成手段により作成された前記画像コンテンツデータから、前記印刷媒体に印刷された前記コード画像を検出する検出手段と、
前記検出手段により検出された前記コード画像から、前記ＩＤ及び前記パスワードの情報を抽出する抽出手段と、
前記画像コンテンツデータをアップロードするために、前記画像コンテンツデータと、前記抽出手段により抽出された前記ＩＤ及び前記パスワードの情報とを、前記ネットワーク上の、前記ＩＤ及び前記パスワードでログイン可能なサーバ装置に送信する送信手段と
を具備するカメラデバイス。
【請求項２】
カメラデバイスが有する作成手段が、ネットワーク上にコンテンツをアップロードするために必要なＩＤ及びパスワードの情報を含むコード画像が印刷された印刷媒体を含む画像を撮像することで、前記コンテンツのデータとして画像コンテンツデータを作成し、
前記カメラデバイスが有する検出手段が、前記作成された前記画像コンテンツデータから、前記印刷媒体に印刷された前記コード画像を検出し、
前記カメラデバイスが有する抽出手段が、前記検出された前記コード画像から、前記ＩＤ及び前記パスワードの情報を抽出し、
前記カメラデバイスが有する送信手段が、前記画像コンテンツデータをアップロードするために、前記画像コンテンツデータと、前記抽出された前記ＩＤ及び前記パスワードの情報とを、前記ネットワーク上の、前記ＩＤ及び前記パスワードでログイン可能なサーバ装置に送信する
アップロード方法。
【発明の詳細な説明】
【技術分野】
【０００１】
本発明は、ネットワーク上にコンテンツをアップロードするアップロード装置、サーバ装置、アップロードシステム及びアップロード方法に関する。
【背景技術】
【０００２】
近年、例えばＢｌｏｇ（Weblog）、ＳＮＳ（Social Network Service）又は動画共有サービスといった、画像投稿管理システム等を用いたネットワーク上のサービスが活発化している。
【０００３】
利用者は、これらのサービスを利用して、ネットワーク上に画像をアップロードすることが可能である。
【０００４】
利用者は、これらのサービスを利用する際に、必要なＵＲＬ(Uniform Resource Locator)情報を二次元コード化し、ユーザ側端末機でのＵＲＬ入力や、他のユーザへのＵＲＬ情報の告知を、簡単に行うことができる。（例えば、特許文献１参照。）。
【０００５】
ところで、これらのサービスは基本的に会員制をとっており、利用者は会員登録を要し、また利用するにあたっては、当該画像投稿管理システム等を提供するサーバにログインすることが条件になることが多い。（例えば、特許文献２参照。）。
【０００６】
会員登録は、利用者が、ネットワークに接続可能なユーザ側端末機から、当該画像投稿管理システム等を提供するサーバにアクセスし、当該サーバからログインに必要なＩＤとパスワードを受信することで行われる。
【０００７】
ログインは、利用者が、会員登録の時に配信されたＩＤとパスワードを、使用するユーザ側端末機に入力し、当該画像投稿管理システムを提供するサーバに送信することで行われる。利用者は、使用するユーザ側端末機に当該ＩＤと当該パスワードとを記憶させておくことで、簡単にログインすることも可能である。
【特許文献１】特開２００７−２４９９２９号公報（段落[００２２]〜[００２４]）
【特許文献２】特開２００８−１０８０２７号公報（段落[０００２]、[０００３]、図２）
【発明の開示】
【発明が解決しようとする課題】
【０００８】
しかしながら、利用者が、使用するユーザ側端末機に当該ＩＤと当該パスワードを記憶させていない時、また複数の利用者が一つのユーザ側端末機を共用しようとする時に、各々のＩＤとパスワードを入力しなければならない煩雑さがある。
【０００９】
以上のような事情に鑑み、本発明の目的は、利用者が、使用する情報処理装置に当該ＩＤと当該パスワードを記憶させているかどうかにかかわらず、簡単な方法でコンテンツ共有サービスを提供するサーバ装置にログインして、コンテンツをアップロードすることができる、ユーザビリティーの高いアップロード装置、サーバ装置、アップロードシステム及びアップロード方法を提供することにある。
【課題を解決するための手段】
【００１０】
上記目的を達成するため、本発明に係るアップロード装置は、ネットワーク上にコンテンツをアップロードするために必要な、ＩＤ及びパスワードの情報を含むコード画像を出力する出力手段と、前記出力手段により出力されたコード画像を使って前記コンテンツを前記ネットワーク上にアップロードするアップロード手段とを具備する。
【００１１】
アップロード装置がＩＤ及びパスワードの情報を含むコード画像を出力することで、例えば、上記情報をコード画像から抽出し、抽出された情報をネットワーク上へ送信することができる。これにより、利用者が、上記ＩＤと上記パスワードを自ら入力することなく、簡単な方法でコンテンツ共有サービスを提供するサーバ装置にログインして、コンテンツをアップロードすることができる。また、利用者が複数いる場合でも、複数の利用者が共用しようとする、例えばアップロード装置に含まれる一つの情報処理装置が、複数の利用者ごとのＩＤ及びパスワードの情報を抽出し、抽出された情報をネットワーク上へ送信することができる。
【００１２】
本発明において、前記アップロード手段は、前記コンテンツと、前記出力されたコード画像とを対応付けて記憶する記憶手段と、前記ＩＤ及び前記パスワードの情報を、前記記憶されたコード画像から抽出する抽出手段と、前記コンテンツと、前記コンテンツに対応する前記コード画像から抽出されたＩＤ及びパスワードの情報とを、前記ネットワーク上の、前記ＩＤ及び前記パスワードでログイン可能なサーバ装置に送信する送信手段とを有する。
【００１３】
アップロード装置が、コンテンツとＩＤ及びパスワードの情報を含むコード画像とを対応付けて記憶している。これにより、利用者がアップロードするコンテンツを選択することにより、上記コード画像が指定される。またアップロード装置は、指定された上記コード画像から、ＩＤ及びパスワードの情報を抽出し、利用者が選択したコンテンツとともに、抽出された情報をサーバ装置に送信する。つまり、利用者が、ネットワーク上にアップロードを所望するコンテンツを選択することにより、サーバ装置に、そのコンテンツと、アップロードに必要なＩＤ及びパスワードの情報が送信される。これにより、利用者は、簡単な方法でコンテンツ共有サービスを提供するサーバ装置にログインして、コンテンツをアップロードすることができる。
【００１４】
本発明において、前記出力手段は、前記ＩＤ、前記パスワード及び前記サーバ装置のアドレス情報を含むコード画像を出力し、前記記憶手段は、前記コンテンツと、前記アドレス情報を含む前記コード画像とを対応付けて記憶し、前記抽出手段は、前記ＩＤ、前記パスワード及び前記アドレス情報を、前記記憶されたコード画像から抽出し、前記送信手段は、前記コンテンツと、前記コンテンツに対応する前記コード画像から抽出されたＩＤ及びパスワードの情報とを、前記アドレス情報を使って前記サーバ装置に送信するアップロード装置。
【００１５】
アップロード手段は、コード画像に含まれた、サーバ装置のアドレス情報を使って、コンテンツとＩＤ及びパスワードの情報とを、上記サーバ装置に送信する。これにより利用者は、上記サーバ装置のアドレス情報を入力することなく、より簡単な方法でコンテンツをアップロードすることができる。
【００１６】
本発明において、前記出力手段は、前記コード画像を表示するディスプレイを有し、前記アップロード手段は、前記ディスプレイに表示された前記コード画像を撮像する撮像手段と、前記コンテンツと、前記撮像されたコード画像とを対応付けて記憶する記憶手段と、前記ＩＤ及び前記パスワードの情報を、前記記憶されたコード画像から抽出する抽出手段と、前記コンテンツと、前記コンテンツに対応する前記コード画像から抽出されたＩＤ及びパスワードの情報とを、前記ネットワーク上の、前記ＩＤ及び前記パスワードでログイン可能なサーバ装置に送信する送信手段とを有するカメラデバイスである。
【００１７】
アップロード装置は、上記コード画像を表示するディスプレイを有し、また、アップロード手段であるカメラデバイスは、上記撮像手段、上記記憶手段、上記抽出手段、及び上記送信手段とを有している。これにより利用者は、上記ディスプレイに表示されたコード画像を、上記カメラデバイスで撮像することにより、簡単な方法でコンテンツをアップロードすることができる。
【００１８】
本発明において、前記出力手段は、前記コード画像を表示するディスプレイを有し、前記アップロード手段は、前記ディスプレイに表示されたコード画像を撮像するカメラデバイスと、前記カメラデバイスから前記コード画像をダウンロードし、前記コンテンツと、前記ダウンロードされたコード画像とを対応付けて記憶する手段と、前記ＩＤ及び前記パスワードの情報を、前記記憶されたコード画像から抽出する手段と、前記コンテンツと、前記コンテンツに対応する前記コード画像から抽出されたＩＤ及びパスワードの情報とを、前記ネットワーク上の、前記ＩＤ及び前記パスワードでログイン可能なサーバ装置に送信する手段とを有する情報処理装置とを有する。
【００１９】
アップロード手段に含まれる情報処理装置は、上記カメラデバイスから上記コード画像をダウンロードし、コンテンツとダウンロードされたコード画像とを対応付けて記憶する。また、記憶されたコード画像から上記情報を抽出し、上記コンテンツと、抽出された情報とをサーバ装置に送信する。これにより利用者は、上記ディスプレイに表示されたコード画像を上記カメラデバイスで撮像し、上記ダウンロード可能となるように、上記カメラデバイスと上記情報処理装置とを接続することで、簡単にコンテンツをアップロードすることができる。
【００２０】
本発明において、前記出力手段は、前記コード画像を表示するディスプレイを有し、前記アップロード手段は、前記ディスプレイに表示された前記コード画像を撮像するカメラデバイスと、前記カメラデバイスから前記コード画像をダウンロードし、前記コンテンツと前記ダウンロードされたコード画像とを対応付け、前記ネットワーク上に前記コンテンツと前記コード画像とを送信する情報処理装置と、前記コンテンツと前記コード画像とを受信する手段と、前記ＩＤ及び前記パスワードの情報を、前記受信されたコード画像から抽出する手段と、前記コンテンツと、前記コンテンツに対応する前記コード画像から抽出されたＩＤ及びパスワードの情報とを、前記ネットワーク上の、前記ＩＤ及び前記パスワードでログイン可能なサーバ装置に送信する手段とを有する一次サーバ装置とを有する
アップロード装置に含まれる一次サーバ装置は、上記情報処理装置から、コンテンツと上記コード画像を受信し、受信されたコード画像から上記情報を抽出し、上記コンテンツと抽出された情報とをサーバ装置に送信する。これにより利用者は、使用する情報処理装置が上記情報を抽出する手段を有していなくとも、コンテンツと上記コード画像を一次サーバ装置に送信することで、簡単にコンテンツをアップロードすることができる。
【００２１】
本発明において、前記出力手段は、前記コード画像を印刷媒体に印刷し、前記アップロード手段は、前記印刷媒体を含む画像を撮像することで、前記コンテンツのデータとして画像コンテンツデータを作成するカメラデバイスと、前記作成された画像コンテンツデータをダウンロードし、前記ダウンロードされた画像コンテンツデータから、前記印刷されたコード画像を検出する手段と、前記ＩＤ及び前記パスワードの情報を、前記検出されたコード画像から抽出する手段と、前記作成された画像コンテンツデータと、前記コード画像から抽出されたＩＤ及びパスワードの情報とを、前記ネットワーク上の、前記ＩＤ及び前記パスワードでログイン可能なサーバ装置に送信する手段とを有する情報処理装置とを有する。
【００２２】
アップロード手段に含まれるカメラデバイスは、コード画像が印刷された印刷媒体を含む画像を撮像することで、画像コンテンツデータを作成する。また、アップロード手段に含まれる情報処理装置は、上記画像コンテンツデータをダウンロードし、画像コンテンツデータから印刷された画像コードを検出し、画像データから上記情報を抽出する。また、上記画像コンテンツデータと抽出された情報とを、サーバ装置に送信する。これにより利用者は、上記カメラデバイスを用いて上記画像コンテンツデータを作成し、上記ダウンロード可能となるように、上記カメラデバイスと上記情報処理装置とを接続することで、簡単にコンテンツをアップロードすることができる。
【００２３】
本発明に係るサーバ装置は、ネットワーク上にコンテンツをアップロードするために必要な、ＩＤ及びパスワードの情報を含むコード画像を出力するアップロード装置により、前記コード画像を使って前記ネットワーク上にアップロードされた前記コンテンツを受信する受信手段と、前記受信されたコンテンツを記憶する記憶手段とを具備する。
【００２４】
これにより、サーバ装置は、上記コード画像に含まれた情報から利用者を識別することで、利用者がＩＤとパスワードを自ら入力することなく、簡単な方法でネットワーク上にコンテンツをアップロードすることができる、コンテンツ共有サービスを提供する。
【００２５】
本発明において、前記受信手段は、前記ネットワークに接続された、前記ネットワーク上のアドレス情報を持つ情報端末装置から送信された前記アドレス情報を受信し、前記サーバ装置は、前記受信されたアドレス情報に対応する前記情報端末装置に、前記ＩＤ、前記パスワード、及び、前記ネットワーク上の前記サーバ装置のアドレス情報を含むコード画像を送信する送信手段をさらに具備する。
【００２６】
例えば、サーバ装置が会員登録用メールアドレスを有し、利用者がその会員登録用メールアドレスに空メールを送信する。サーバ装置がその空メールから利用者のメールアドレスを認識し、上記コード画像を添付して、認識されたメールアドレスに送信する。これにより、利用者は上記コード画像を確実に受信できる。また例えば、サーバ装置が、上記空メールから認識したメールアドレスに、上記コード画像とともにＩＤとパスワードを送信する。これにより、利用者が受信したコード画像を管理することが容易となる。
【００２７】
本発明に係るアップロードシステムは、ネットワーク上にコンテンツをアップロードするために必要な、ＩＤ及びパスワードの情報を含むコード画像を出力する出力手段と、前記出力手段により出力されたコード画像を使って前記コンテンツを前記ネットワーク上にアップロードするアップロード手段とを有するアップロード装置と、前記アップロード装置によりアップロードされた前記コンテンツを受信する受信手段と、前記受信されたコンテンツを記憶する記憶手段とを有するサーバ装置とを具備する。
【００２８】
本発明において、前記アップロード手段は、前記コンテンツと前記出力されたコード画像とを対応付け、前記ネットワーク上に前記コンテンツと前記コード画像とを送信する送信手段を有し、前記アップロードシステムは、前記コンテンツと前記コード画像とを受信する手段と、前記ＩＤ及び前記パスワードの情報を、前記受信されたコード画像から抽出する手段と、前記コンテンツと、前記コンテンツに対応する前記コード画像から抽出された前記ＩＤ及び前記パスワードの情報とを、前記ネットワーク上の、前記ＩＤ及び前記パスワードでログイン可能な前記サーバ装置に送信する手段とを有する一次サーバ装置をさらに具備する。
【００２９】
本発明に係るアップロード方法は、ネットワーク上にコンテンツをアップロードするために必要な、ＩＤ及びパスワードの情報を含むコード画像を、アップロード装置の出力手段により出力し、前記出力されたコード画像を使って前記コンテンツを、前記アップロード装置のアップロード手段により前記ネットワーク上にアップロードする。
【００３０】
以上の説明において、「〜手段」と記載された要素は、ハードウェアで実現されてもよいし、ソフトウェア及びハードウェアの両方で実現されてもよい。ソフトウェア及びハードウェアの両方で実現される場合、そのハードウェアは、ソフトウェアのプログラムを格納する記憶デバイスを少なくとも含む。ハードウェアは、典型的には、ＣＰＵ（Central Processing Unit）、ＭＰＵ（Micro Processing Unit）、ＲＡＭ（Random Access Memory）、ＲＯＭ（Read Only Memory）、ＤＳＰ（Digital Signal Processor）、ＦＰＧＡ（Field Programmable Gate Array）、ＡＳＩＣ（Application Specific Integrated Circuit）、ディスプレイデバイス、ＮＩＣ（Network Interface Card）、ＷＮＩＣ（Wireless NIC）、モデム、光ディスク、磁気ディスク、及び、フラッシュメモリのうち少なくとも１つが選択的に用いられることにより構成される。
【発明の効果】
【００３１】
以上のように、本発明によれば、利用者が、使用する情報処理装置に当該ＩＤと当該パスワードを記憶させているかどうかにかかわらず、簡単な方法でコンテンツ共有サービスを提供するサーバ装置にログインして、コンテンツをアップロードすることができる。
【発明を実施するための最良の形態】
【００３２】
以下、本発明の実施の形態を図面に基づき説明する。
【００３３】
図１は、本発明の一実施の形態に係るアップロードシステムのネットワーク構成を示した図である。アップロードシステム１００は、ネットワーク３に接続されたサーバ装置２及び、このネットワーク３に接続可能なアップロード装置１を含む。ネットワーク３は、例えばＴＣＰ／ＩＰ（Transmission Control Protocol/Internet protocol）を用いたネットワークである。
【００３４】
アップロード装置１は、携帯電話機５とカメラデバイス６とを含む。携帯電話機５は、図示しない、ＣＰＵ、ＲＡＭ、ＲＯＭ、その他のメモリ、送受信機等を備えた機器である。携帯電話機５のメモリには、ネットワーク３上にコンテンツをアップロードするために必要な、ＩＤ及びパスワードの情報１４を含むＱＲコード４を示す画像が記憶されている。携帯電話機５はディスプレイ７を有し、メモリに記憶されたＱＲコード４を示す画像をディスプレイ７に出力することが可能となっている。
【００３５】
コンテンツとは、動画データ、静止画データ、音声データ及び文字データ等を含む。
【００３６】
ＱＲコード４の代わりに、ＩＤ及びパスワードの情報を含むコード画像として、例えば、バーコードや、ベリコード等が使われてもよい。また、携帯電話機５の代わりに、ＱＲコード４を示す画像を出力するものとして、例えば、小型テレビやデジタルカメラ等の、ディスプレイを有する電子機器、もしくは、名刺等の紙媒体にＱＲコード４を示す画像を印刷したもの等が使われてもよい。
【００３７】
図２は、カメラデバイス６の機能構成を示すブロック図である。カメラデバイス６は、撮像部８、コントローラ９、記憶媒体１０及びネットワークインターフェイス１１とを有する。また、コントローラ９は、ＣＰＵ、ＲＡＭ、及びＲＯＭ等を含む。ネットワークインターフェイス１１により、例えばEthernet（登録商標）、その他の規格を用いて、有線または無線によりネットワーク３に接続可能となっている。図２で示したカメラデバイス６として、例えばビデオカムコーダが用いられる。記憶媒体は、ハードディスクドライブ、光ディスク、磁気テープ、メモリカード等である。
【００３８】
ビデオカムコーダの代わりに、カメラ付携帯電話機等の、撮像機能がついた、ネットワークに接続可能な情報処理装置（例えばＰＣ（Personal Computer）等）が使われてもよい。
【００３９】
サーバ装置２は、データの記憶、演算、受信及び送信が可能なコンピュータであれば、どのような装置であってもかまわない。サーバ装置２は、アップロード装置１によりアップロードされたコンテンツを受信し、また、コンテンツを記憶することが可能となっている。
【００４０】
以上のように構成されたアップロードシステム１００の動作を説明する。
【００４１】
まず、利用者が会員登録する時の動作を説明する。図３は、その会員登録時のシステムを示す図である。図４は、その動作を示すフローチャートであり、ここでは、サーバ装置２が、動画共有サービスを提供する動画共有サーバ２であるとして説明する。
【００４２】
利用者は、携帯電話機５（情報端末装置）を用いて、ネットワーク３上の、動画共有サーバ２のＵＲＬにアクセスする（ステップ４０１）。利用者は、携帯電話機５を用いて、動画共有サーバ２が有する新規登録ページにアクセスする（ステップ４０２）。例えば利用者が新規登録ボタンを押す（ステップ４０３）。例えば携帯電話機５が有するアプリケーションソフトにより、携帯電話機５が有するメーラーが自動的に起動される。また、あて先として、動画共有サーバ２が有する会員登録用メールアドレスが入力された、空メール１２が作成される（ステップ４０４）。図３（ａ）に示すように、ネットワーク３上の動画共有サーバ２に、空メール１２が送信される（ステップ４０５）。
【００４３】
動画共有サーバ２は、携帯電話機５から送信された空メール１２を受信する（ステップ４０６）。動画共有サーバ２は、空メール１２から携帯電話機５のメールアドレスを認識し、そのメールアドレスを会員登録データベースに入力する（ステップ４０７）。動画共有サーバ２は、会員登録データベースに入力したメールアドレスを使用した利用者が、動画共有サーバ２にコンテンツをアップロードするための、ＩＤ及びパスワードを生成する（ステップ４０８）。動画共有サーバ２は、ステップ４０８にて生成したＩＤ及びパスワードの情報１４を含む、ＱＲコード４を示す画像を生成する（ステップ４０９）。図３（ｂ）に示すように、動画共有サーバ２は、ステップ４０９にて生成したＱＲコード４を示す画像を添付したメール１５を、携帯電話機５に送信する（ステップ４１０）。携帯電話機５は、動画共有サーバ２から送信された、ＱＲコード４を示す画像を添付したメール１５を受信し、その画像を携帯電話機５のメモリに記憶させる。
【００４４】
携帯電話機５の代わりに、ネットワーク３上にメールアドレスを持つ、例えばＰＣ等の、情報処理装置が使われてもよい。この場合、携帯電話機５のメモリにＱＲコード４を示す画像を記憶させる事が可能な装置、もしくは、図１に示すアップロードシステム１００において、携帯電話機５の代わりに使われる装置であれば、どのような装置が使われてもかまわない。
【００４５】
図３（ｂ）において、動画共有サーバ２が利用者に送信する、ＩＤ及びパスワードの情報１４を含むＱＲコード４を示す画像を添付したメール１５の内容に、ＩＤ及びパスワードが含まれていてもよい。これにより、例えば利用者が、受信したメール１５を保存しておくことで、そのメール１５とＱＲコード４を示す画像とを対応させておくことができ、ＱＲコード４を示す画像の管理が容易となる。
【００４６】
次に、コンテンツのアップロード時の、アップロードシステム１００の動作を説明する。図５は、カメラデバイス６側での動作を示すフローチャートであり、ここでは、コンテンツが動画データ１３であるとして説明する。
【００４７】
カメラデバイス６の撮像部８により、動画データ１３が撮像される（ステップ５０１）。図１に示すように、携帯電話機５は、メモリに記憶されているＩＤ及びパスワードの情報１４を含むＱＲコード４を示す画像を、ディスプレイ７に出力させる。例えば利用者は、カメラデバイス６により、出力されたＱＲコード４を示す画像を撮像する（ステップ５０２）。カメラデバイス６のコントローラ９は、動画データ１３と撮像されたＱＲコード４を示す画像とを対応付けて、記憶媒体１０に記憶させる（ステップ５０３）。利用者により、アップロードされる動画データ１３が選択される（ステップ５０４）。カメラデバイス６のコントローラ９は、選択された動画データ１３に対応するＱＲコード４を示す画像から、利用者のＩＤ及びパスワードの情報１４を抽出する（ステップ５０５）。この際、ＱＲコードを示す画像から、例えばＵＲＬ情報等を抽出する、公知の技術が用いられてもよい。カメラデバイス６のコントローラ９は、選択された動画データ１３と抽出されたＩＤ及びパスワードの情報１４とを、ネットワークインターフェイス１１を用い、動画共有サーバ２に送信する。（ステップ５０６）。ここでのアップロードは、典型的にはＡＰＩ（Application Programming Interface）等が用いられればよい。
【００４８】
動画共有サーバ２は、カメラデバイス６のコントローラ９により送信された動画データ１３と、ＩＤ及びパスワードの情報１４とを受信する。動画共有サーバ２は、受信したＩＤ及びパスワードの情報１４を認証し、利用者が会員であることを識別した場合に、利用者が動画共有サーバ２にログインすることを許可する。またこの場合に、動画共有サーバ２は、受信した動画データ１３を記憶し、利用者が会員登録した動画共有サービスに、動画データ１３をアップロードする。ここでの認証は、例えば、ＷＳＳＥ（Web Services Security Extensions）認証や、Ｂａｓｉｃ認証等が用いられる。
【００４９】
以上のように、本実施の形態では、携帯電話機５が有するディスプレイ７に出力された、利用者がネットワーク３上に動画データ１３をアップロードするために必要な、ＩＤ及びパスワードの情報１４を含むＱＲコード４を示す画像が、カメラデバイス６により撮像される。また、カメラデバイス６は、上記動画データ１３と撮像されたＱＲコード４を示す画像とを対応付けて記憶し、記憶されたＱＲコード４を示す画像から上記情報１４を抽出し、動画データ１３と抽出された情報１４とを動画共有サーバ２に送信する。これにより利用者は、カメラデバイス６を用いることで、ＩＤとパスワードを入力することなく、簡単な方法で動画共有サーバ２にログインして、動画データ１３をアップロードすることができる。
【００５０】
また、利用者が複数いる場合でも、カメラデバイス６は、複数の利用者ごとのＱＲコード４を示す画像を撮像し、それらと動画データ１３とを対応させ記憶する。また、カメラデバイス６は、記憶された上記ＱＲコード４を示す画像から、複数の利用者ごとのＩＤ及びパスワードの情報１４を抽出し、それらを動画データ１３とともに、動画共有サーバ２に送信する。これにより、複数の利用者は、カメラデバイス６を共有することができる。
【００５１】
この場合において、カメラデバイス６のコントローラ９は、カメラデバイス６に保存された動画データ１３であれば、いずれの動画データ１３であっても、撮像された複数の利用者ごとのＱＲコード４を示す画像と、対応付けることができる。これにより利用者は、例えば他の利用者が撮像した、カメラデバイス６に保存されている動画データ１３を、ネットワーク３上に簡単にアップロードすることができる。
【００５２】
さらに、ＱＲコード４に動画共有サーバ２の、例えばＩＰアドレス（ＵＲＬ）等のアドレス情報が含まれていてもよい。これにより、利用者は、カメラデバイス６に動画共有サーバ２のアドレス情報を入力することなく、動画データ１３とＩＤ及びパスワードの情報１４とを、動画共有サーバ２に送信することができる。つまり利用者は、より簡単な方法で、動画データ１３をアップロードすることができる。
【００５３】
図６は、別の実施の形態に係るアップロードシステム２００のネットワーク構成を示した図である。これ以降の説明では、図１等に示したアップロードシステム１００の構成及び作用と同様な部分については、その説明を省略または簡略化する。
【００５４】
アップロードシステム２００は、ネットワーク３に接続されたサーバ装置２、及び、このネットワーク３に接続可能なアップロード装置１６を含む。
【００５５】
アップロード装置１６は、携帯電話機５、カメラデバイス１８及びネットワーク３に接続可能な情報処理装置としてＰＣ１７を含む。カメラデバイス１８とＰＣ１７とは、例えばＵＳＢ（Universal Serial Bus）、ＨＤＭＩ（High-Definition Multimedia Interface）、FireWire、ＬＡＮ（Local Area Network）、その他のインターフェース、あるいは無線により接続される。
【００５６】
カメラデバイス１８は、携帯電話機５のディスプレイ７に出力されたＱＲコード４を示す画像を撮像し、撮像されたＱＲコード４を示す画像がＰＣによりダウンロードされる。カメラデバイス１８としては、前実施の形態で示したビデオカムコーダ等が用いられてもよいし、ネットワーク接続機能がない、ビデオカムコーダ、デジタルカメラ、フィルムカメラが用いられてもよい。
【００５７】
情報処理装置として、ＰＣ１７に限られず、ネットワーク３に接続可能であり、カメラデバイス１８からＱＲコード４を示す画像をダウンロードすることができるものであれば、どのような装置でもよい。
【００５８】
以上のように構成されたアップロードシステム２００の動作を説明する。
【００５９】
会員登録の後の、コンテンツのアップロード時の、アップロードシステム２００の動作を説明する。会員登録の方法は、前実施の形態と同様でよい。図７は、その動作を示すフローチャートである。
【００６０】
携帯電話機５とカメラデバイス１８により、前実施の形態と同様の動作が行われる（ステップ７０１、ステップ７０２）。ＰＣ１７は、カメラデバイス１８から、動画データ１３及びＱＲコード４を示す画像をダウンロードする（スッテプ７０３）。ＰＣ１７は、上記動画データ１３とダウンロードされたＱＲコード４を示す画像とを対応付けて記憶する。（ステップ７０４）。利用者により、アップロードされる動画データ１３が選択される（ステップ７０５）。ＰＣ１７は、選択された動画データ１３に対応するＱＲコード４を示す画像から、利用者のＩＤ及びパスワードの情報１４を抽出する（ステップ７０６）。ＰＣ１７は、選択された動画データ１３と抽出されたＩＤ及びパスワードの情報１４とを、動画共有サーバ２に送信する。（ステップ７０７）。
【００６１】
これにより利用者は、上記ダウンロード可能となるように、カメラデバイス１８とＰＣ１７とを接続することで、ＩＤとパスワードを入力することなく、簡単な方法で動画データ１３を動画共有サーバ２にアップロードすることができる。
【００６２】
図８は、別の実施の形態に係るアップロードシステム３００のネットワーク構成を示した図である。アップロードシステム３００は、ネットワーク３に接続されたサーバ装置２及び、このネットワーク３に接続可能なアップロード装置１９を含む。
【００６３】
アップロード装置１９は、携帯電話機５、カメラデバイス１８、ＰＣ１７及びネットワーク３に接続された一次サーバ装置２０を含む。一次サーバ装置２０は、データの記憶、演算、受信及び送信が可能なコンピュータである。ＰＣ１７と一次サーバ装置２０とは、ネットワーク３を介して接続される。
【００６４】
以上のように構成されたアップロードシステム３００の動作を説明する。
【００６５】
会員登録の後の、コンテンツのアップロード時の、アップロードシステム３００の動作を説明する。会員登録の方法は、前実施の形態と同様でよい。図９は、その動作を示すフローチャートである。
【００６６】
携帯電話機５とカメラデバイス１８により、前実施の形態と同様の動作が行われる（ステップ９０１、ステップ９０２）。カメラデバイス１８とＰＣ１７により、前実施の形態と同様の動作が行われる（ステップ９０３、ステップ９０４）。利用者により、アップロードされる動画データ１３が選択される（ステップ９０５）ＰＣ１７は、選択された動画データ１３と、それに対応するＱＲコード４を示す画像とを、一次サーバ装置２０に送信する（ステップ９０６）。一次サーバ装置２０は、ＰＣ１７から送信された、選択された動画データ１３とそれに対応するＱＲコード４を示す画像とを、受信する（ステップ９０７）。一次サーバ装置２０は、受信されたＱＲコード４を示す画像から、利用者のＩＤ及びパスワードの情報１４を抽出する（ステップ９０８）。一次サーバ装置２０は、選択された動画データ１３と抽出されたＩＤ及びパスワードの情報１４とを、動画共有サーバ２に送信する。（ステップ９０９）。
【００６７】
これにより利用者は、ＰＣ１７により上記情報１４を抽出させることなく、動画データ１３とＱＲコード４を示す画像とを一次サーバ装置２０に送信することで、簡単に動画データ１３を動画共有サーバ２にアップロードすることができる。
【００６８】
図１０は、別の実施の形態に係るアップロードシステム４００のネットワーク構成を示した図である。アップロードシステム４００は、ネットワーク３に接続されたサーバ装置２及びこのネットワーク３に接続可能なアップロード装置２１を含む。
【００６９】
アップロード装置２１は、情報処理装置としてＰＣ２２、カメラデバイス１８及びＰＣ１７を含む。ＰＣ２２は、例えば図示しないプリンター等に接続されており、ＱＲコード４を示す画像を印刷媒体２３に印刷する。
【００７０】
印刷媒体２３としては、例えば名刺等の紙媒体が用いられるが、それに限られず、受信されたＱＲコード４を示す画像が印刷される媒体なら、どのような媒体でもよい。そのような媒体として、例えばフィルム等が考えられる。
【００７１】
以上のように構成されたアップロードシステム４００の動作を説明する。
【００７２】
会員登録の後の、コンテンツのアップロード時の、アップロードシステム４００の動作を説明する。会員登録の方法は、携帯電話機５の代わりに例えばＰＣ２２により前実施の形態と同様に行われる。図１１は、その動作を示すフローチャートである。
【００７３】
ＰＣ２２及び図示しないプリンターにより、印刷媒体２３にＱＲコード４を示す画像が印刷される（ステップ１１０１）。カメラデバイス１８により、印刷媒体２３を含む画像が撮像され、画像コンテンツデータ２４としてカメラデバイス１８の記憶媒体１０に記憶される（ステップ１１０２）。ＰＣ１７により、カメラデバイス１８から、上記画像コンテンツデータ２４がダウンロードされる（スッテプ１１０３）。ＰＣ１７は、ダウンロードされた画像コンテンツデータ２４から、上記印刷されたＱＲコード４を示す画像を検出する（ステップ１１０４）。検出は、例えば画像処理等によって行われる。ＰＣ１７は、検出されたＱＲコード４を示す画像から、利用者のＩＤ及びパスワードの情報１４を抽出する（ステップ１１０５）。ＰＣ１７は、上記ダウンロードされた画像コンテンツデータ２４と抽出されたＩＤ及びパスワードの情報１４とを、動画共有サーバ２に送信する。（ステップ１１０６）。
【００７４】
これにより利用者は、カメラデバイス１８を用いて、ＱＲコード４を示す画像が印刷された印刷媒体２３を含む画像を撮像し、上記ダウンロード可能となるように、カメラデバイス１８とＰＣ１７とを接続することで、簡単に画像コンテンツデータ２４を動画共有サーバ２にアップロードすることができる。
【００７５】
またＱＲコード４を示す画像が印刷媒体２３に印刷されるので、利用者は、印刷媒体２３を携帯し、必要な時にカメラデバイス１８にて撮像させることができる。
【００７６】
また、ＰＣ１７は、カメラデバイス１８により画像コンテンツデータ２４として作成された、複数の利用者にそれぞれ対応する複数の印刷媒体２３を含む画像から、複数の利用者ごとのＱＲコード４を示す画像を検出する。これにより、複数の利用者は、カメラデバイス１８を用い、上記複数の印刷媒体２３を含む画像を撮像することで、上記画像コンテンツデータ２４を簡単にアップロードすることができる。
【図面の簡単な説明】
【００７７】
【図１】本発明の一実施の形態に係るアップロードシステムのネットワーク構成を示した図である。
【図２】カメラデバイスの機能構成を示すブロック図である。
【図３】会員登録時のシステムを示す図である。
【図４】会員登録時の動作を示すフローチャートである。
【図５】アップロード時の動作を示すフローチャートである。
【図６】他の実施の形態に係るアップロードシステムのネットワーク構成を示した図である。
【図７】アップロード時の動作の他の実施形態を示すフローチャートである。
【図８】他の実施の形態に係るアップロードシステムのネットワーク構成を示した図である。
【図９】アップロード時の動作の他の実施形態を示すフローチャートである。
【図１０】他の実施の形態に係るアップロードシステムのネットワーク構成を示した図である。
【図１１】アップロード時の動作の他の実施形態を示すフローチャートである。
【符号の説明】
【００７８】
１、１６、１９、２１    アップロード装置
２    サーバ装置、動画共有サーバ
３    ネットワーク
４    ＱＲコード
５    携帯電話機
６、１８    カメラデバイス
７    ディスプレイ
８    撮像部
９    コントローラ
１０    記憶媒体
１１    ネットワークインターフェイス
１２    空メール
１３    動画データ
１４    ＩＤ及びパスワードの情報
１５    メール
１７、２２    ＰＣ
２０    一次サーバ装置
２３    印刷媒体
２４    画像コンテンツデータ
１００、２００、３００、４００    アップロードシステム
【図１】
0004506876.tif 000002
【図２】
0004506876.tif 000003
【図３】
0004506876.tif 000004
【図４】
0004506876.tif 000005
【図５】
0004506876.tif 000006
【図６】
0004506876.tif 000007
【図７】
0004506876.tif 000008
【図８】
0004506876.tif 000009
【図９】
0004506876.tif 000010
【図１０】
0004506876.tif 000011
【図１１】
0004506876.tif 000012